(57)【要約】【課題】蓄電池が取り外された状態で、端子が露出することがなく、安全性を向上できる電気掃除機を提供することを目的とする。【解決手段】掃除機本体１と、掃除機本体１に形成され、本体端子部１６を有する蓄電池ケース９と、蓄電池ケース９に着脱自在に装着され、本体端子部１６に接続される蓄電池端子部１７を有する蓄電池１０と、を備え、本体端子部１６は、端子１８が設けられる取付枠体２２と、取付枠体２２内に設けられ、端子１８を外部に臨ませる方向に移動可能な開口部２４を有する端子部枠体２１と、端子部枠体２１内に設けられ、端子部枠体２１の移動方向と略直交する方向に移動するスライダー２５と、を備え、スライダー２５は、端子部枠体２１の端子１８側への移動を阻止する移動阻止機構を構成することで、蓄電池１０が取り外された状態で、端子１８が露出することがなく、安全性を向上できる。【選択図】図９
2015024124.tif 000002
【特許請求の範囲】
【請求項１】
掃除機本体と、
前記掃除機本体に形成され、本体端子部を有する蓄電池収納室と、
前記蓄電池収納室に着脱自在に装着され、前記本体端子部に接続される蓄電池端子部を有する蓄電池と、を備え、
前記本体端子部は、端子が設けられる取付枠体と、
前記取付枠体内に設けられ、前記端子を外部に臨ませる方向に移動可能な開口部を有する端子部枠体と、
前記端子部枠体内に設けられ、前記端子部枠体の移動方向と略直交する方向に移動するスライダーと、を備え、
前記スライダーは、前記端子部枠体の前記端子側への移動を阻止する移動阻止機構を構成する電気掃除機。
【請求項２】
前記取付枠体は、ガイドリブを有し、
前記端子部枠体は、前記ガイドリブが挿通する切欠部を有し、
前記スライダーは、前記ガイドリブが挿通する凹部を有し、
前記スライダーの移動により、前記切欠部と前記凹部が連通して、前記ガイドリブに沿って、前記端子部枠体が、前記端子を外部に臨ませる方向に移動可能に構成される請求項１に記載の電気掃除機。
【請求項３】
前記端子部枠体は、貫通孔を有し、
前記スライダーは、前記貫通孔と対向する側に傾斜面を有し、
前記蓄電池は、前記蓄電池端子部側に解除リブを有し、
前記解除リブが、前記貫通孔から前記傾斜面に沿って挿入されることにより、前記スライダーが移動する請求項１または２に記載の電気掃除機。
【請求項４】
前記蓄電池収納室を開閉自在に閉塞する蓋体を設け、
前記蓋体に設けたアーム部と、前記端子部枠体に設けた凸部との当接により、前記蓋体の開放操作にともなって、前記端子部枠体を前記端子から離れる方向に移動させる強制移動機構を構成する請求項１〜３のいずれか１項に記載の電気掃除機。
【請求項５】
前記スライダーは、前記端子部枠体とともに、前記端子を外部に臨ませる方向に移動可能に構成され、
前記蓄電池の前記蓄電池端子部に設けた返り部と、前記スライダーに設けた湾曲リブとの当接により、前記蓄電池の前記蓄電池収納室からの取り外し操作にともなって、前記スライダーを前記端子から離れる方向に移動させる強制移動機構を構成する請求項１〜４のいずれか１項に記載の電気掃除機。
【請求項６】
前記スライダーは、弾性部材により、前記端子部枠体の一方の端面に付勢されている請求項１〜５のいずれか１項に記載の電気掃除機。
【請求項７】
前記端子部枠体は、弾性体により、前記取付枠体の前記端子から離間するように付勢されている請求項１〜６のいずれか１項に記載の電気掃除機。
【発明の詳細な説明】
【技術分野】
【０００１】
本発明は、電気掃除機に関するものである。
【背景技術】
【０００２】
従来の電気掃除機は、掃除機本体に、コードリールが収納されたコードリールケースと、蓄電池と、を選択的に装着できる構成を有している。そして、蓄電池を装着した状態では、蓄電池の充電電力により掃除機を駆動する。一方、コードリールケースを装着した状態では、商用電源により電気掃除機を駆動する構成が、例えば特開２００１−３２１３０６号公報に提案されている（以下、特許文献１と記す）。
【先行技術文献】
【特許文献】
【０００３】
【特許文献１】特開２００１−３２１３０６号公報
【発明の概要】
【発明が解決しようとする課題】
【０００４】
しかしながら、特許文献１に記載の電気掃除機は、コードリールケースと蓄電池のいずれか一方を、掃除機本体に装着する。そのため、装着されないいずれか他方のコードリールケースまたは蓄電池を、掃除機本体以外の場所に保管しなければならない。つまり、保管場所が別途必要であった。
【０００５】
そこで、上記課題を解決するために、掃除機本体にコードリールと蓄電池の両方を収納する構成が考えられる。このとき、蓄電池は、必要に応じて、掃除機本体から取り外して充電する構成にできる。この場合、掃除機本体に蓄電池が接続される端子を設ける必要がある。そのため、掃除機本体から蓄電池を取り外した状態では、端子が露出する構成となる場合がある。このとき、掃除機本体の電源コードが商用電源に接続された状態で、使用者などが誤って端子に触れると、安全性に問題があった。
【０００６】
本発明は、蓄電池が取り外された状態でも、端子の露出を防いで、安全性の向上した電気掃除機を提供することを目的とする。
【課題を解決するための手段】
【０００７】
前記従来の課題を解決するために、本発明の電気掃除機は、掃除機本体と、掃除機本体に形成され、本体端子部を有する蓄電池収納室と、蓄電池収納室に着脱自在に装着され、本体端子部に接続される蓄電池端子部を有する蓄電池とを備える。本体端子部は、端子が設けられる取付枠体と、取付枠体内に設けられ、端子を外部に臨ませる方向に移動可能な開口部を有する端子部枠体と、端子部枠体内に設けられ、端子部枠体の移動方向と略直交する方向に移動可能なスライダーと、を備える。そして、スライダーは、端子部枠体の端子側への移動を阻止する移動阻止機構を構成する。
【０００８】
これにより、掃除機本体より蓄電池を取り外した際の端子の露出を防止し、電気的な安全性を向上できる。さらに、ゴミなどの付着による端子の電気的接触不良を未然に抑制できる。その結果、高い安全性と、信頼性に優れた電気掃除機を実現できる。
【発明の効果】
【０００９】
本発明の電気掃除機によれば、使用者が掃除機本体より蓄電池を取り外した際の端子の露出を防止することができ、電気的な安全性を向上できるとともに、端子へのゴミ等の付
着などによる電気的接触不良の抑制を図ることが可能となる。
【図面の簡単な説明】
【００１０】
【図１】本発明の実施の形態における電気掃除機の斜視図
【図２】同実施の形態における掃除機本体の後方から見た斜視図
【図３】同実施の形態における掃除機本体の説明図
【図４】同実施の形態における蓄電池ケースの斜視図
【図５】同実施の形態における蓄電池ケースの分解斜視図
【図６】同実施の形態における掃除機本体から蓄電池の着脱状態を説明する斜視図
【図７】同実施の形態における本体端子部の端子部枠体が押し下げられた状態を蓄電池本体ケース側から見た斜視図
【図８】（ａ）同実施の形態における本体端子部の端子部枠体が上昇した状態を説明する図７の８−８線側から見た断面図、（ｂ）同実施の形態における本体端子部の端子部枠体が押し下げられた状態を説明する図７の８−８線側から見た断面図
【図９】同実施の形態における蓄電池と本体端子部との関係を示す図７の９−９線側から見た断面図
【図１０】同実施の形態における本体端子部の図９とは異なる位置において、図７の９−９線側から見た断面図
【図１１】同実施の形態における本体端子部の図１０の位置で、図７の１０−１０線側から見た断面図
【図１２】（ａ）同実施の形態における端子部枠体の上下方向の移動を阻止する状態を説明する、端子部枠体とスライダーの位置関係を示す模式図、（ｂ）同実施の形態における端子部枠体の上下方向の移動が可能な状態を説明する、端子部枠体とスライダーの位置関係を示す模式図
【図１３】（ａ）同実施の形態における本体端子部と蓋体との関係を説明する、蓋体の閉塞状態を示す要部説明図、（ｂ）同実施の形態における本体端子部と蓋体との関係を説明する、蓋体の開放状態を示す要部説明図
【図１４】同実施の形態における蓄電池の斜視図
【図１５】同実施の形態における充電台の斜視図
【図１６】同実施の形態における充電台に掃除機本体を載置した状態を示す斜視図
【図１７】同実施の形態における充電台に蓄電池を載置した状態を示す斜視図
【発明を実施するための形態】
【００１１】
以下に、本発明の電気掃除機の実施の形態について、図面を参照しながら詳細に説明する。なお、この実施の形態によって本発明が限定されるものではない。
【００１２】
（実施の形態）
以下に、本発明の実施の形態の電気掃除機の構成について、図１から図５を用いて説明する。
【００１３】
図１は、本発明の実施の形態における電気掃除機の斜視図である。図２は、同実施の形態における掃除機本体の後方からの斜視図である。図３は、同実施の形態における掃除機本体の説明図である。図４は、同実施の形態における蓄電池ケースの斜視図である。図５は、同実施の形態における蓄電池ケースの分解斜視図である。
【００１４】
図１から図５に示すように、本実施の形態の電気掃除機１００は、少なくとも電動送風機５を内蔵する掃除機本体１と、ホース２と、延長管３と、吸込具４などから構成されている。電動送風機５は、吸込具４から塵埃を吸引する吸引風を発生させる。ホース２は、一端が掃除機本体１に着脱自在に接続され、他端が延長管３の一端に接続される。延長管３は、一端がホース２の他端に着脱自在に接続され、他端が着脱自在に吸込具４に接続さ
れる。吸込具４は、被清掃面の塵埃を掻きあげる回転ブラシ（図示せず）と、回転ブラシ（図示せず）を回転駆動する電動機（図示せず）とが内蔵されている。
【００１５】
また、掃除機本体１の前部には、集塵装置６が掃除機本体１に着脱自在に取り付けられている。そして、集塵装置６は、電動送風機５で発生させた吸引風によって、吸込具４から吸引された塵埃を捕集する。
【００１６】
図３の左側面に示すように、掃除機本体１の後部には、コードリールケース４６が配設されている。コードリールケース４６には、電動送風機５に商用電源を供給するための電源コードが巻回されたコードリール７が収納されている。さらに、コードリールケース４６の外周には、後車輪８が回転自在に支持して設けられている。
【００１７】
図３の右側面に示すように、掃除機本体１の後部には、蓄電池収納室を形成する蓄電池ケース９が配設されている。蓄電池ケース９内には、電動送風機５に直流電源を供給する蓄電池１０が着脱自在に収納されている。
【００１８】
そして、蓄電池ケース９は、図３から図５に示すように、少なくとも円筒状の蓄電池ケース本体１１と、車軸部１３と、後車輪８と、支持部材１４と、蓋体１５など、を有している。蓄電池ケース本体１１は、一端に、蓄電池１０などが収容される開口（図示せず）と、開口から外側に向かって延設された環状リブ１２とを備えている。車軸部１３は、環状リブ１２の外周に嵌合される。後車輪８は、車軸部１３の外周に回転自在に支持されている。支持部材１４は、蓄電池ケース本体１１の開口側に装着され、車軸部１３と後車輪８が外れるのを防ぐ。蓋体１５は、蓄電池ケース本体１１の開口を開閉自在に閉塞する。
【００１９】
また、図４および図５に示すように、蓄電池ケース９の、例えば下部には、本体端子部１６が配設されている。本体端子部１６は、以降で図９を用いて説明する蓄電池１０に設けられる蓄電池端子部１７と着脱自在に接続される。
【００２０】
以上のように、本実施の形態の電気掃除機１００が構成される。
【００２１】
以下に、本発明の実施の形態における電気掃除機の本体端子部について、図５から図１２（ｂ）を用いて説明する。
【００２２】
図６は、本発明の実施の形態における掃除機本体から蓄電池の着脱状態を説明する斜視図である。図７は、同実施の形態における本体端子部の端子部枠体が押し下げられた状態を蓄電池本体ケース側から見た斜視図である。図８（ａ）は、同実施の形態における本体端子部の端子部枠体が上昇した状態を説明する図７の８−８線側から見た断面図である。
【００２３】
図８（ｂ）は、同実施の形態における本体端子部の端子部枠体が押し下げられた状態を説明する図７の８−８線側から見た断面図である。図９は、同実施の形態における蓄電池と本体端子部との関係を示す図７の９−９線側から見た断面図である。図１０は、同実施の形態における本体端子部の図９とは異なる位置において、図７の９−９線側から見た断面図である。
【００２４】
図１１は、同実施の形態における本体端子部の図１０の位置で、図７の１０−１０線側から見た断面図である。図１２（ａ）は、同実施の形態における本体端子部と蓋体との関係を説明する、蓋体の閉塞状態を示す要部断面図である。図１２（ｂ）は、同実施の形態における本体端子部と蓋体との関係を説明する、蓋体の開放状態を示す要部断面図である。
【００２５】
図１３（ａ）は、同実施の形態における本体端子部と蓋体との関係を説明する、蓋体の閉塞状態を示す要部説明図である。図１３（ｂ）は、同実施の形態における本体端子部と蓋体との関係を説明する、蓋体の開放状態を示す要部説明図である。なお、図８（ａ）は、蓄電池が装着されていない本体端子部の状態に相当し、図８（ｂ）は、蓄電池が装着された本体端子部の状態に相当する図である。
【００２６】
まず、図５から図１２（ｂ）に示すように、本体端子部１６は、複数の端子１８と、支持枠１９と、絶縁ケース２０と、端子部枠体２１と、取付枠体２２と、スライダー２５と、弾性部材２６と、弾性体２８などから構成されている。端子１８は、支持枠１９に支持され、支持枠１９を絶縁ケース２０に装着することにより固定される。絶縁ケース２０は、端子部枠体２１の下部に装着され、取付枠体２２に取付けられて蓄電池ケース９に装着される。
【００２７】
端子部枠体２１は、絶縁ケース２０を装着した状態で、端子１８を蓄電池ケース９の蓄電池収納室に臨ませる、複数の開口部２４を有している。このとき、端子部枠体２１は、下方に移動して開口部２４から端子１８を露出させる位置と、上方に移動して端子１８を覆う位置との間を移動可能に構成される。つまり、端子部枠体２１は、端子１８を、外部に対して、露出または遮蔽するシャッターとしての機能を備えている。
【００２８】
また、端子部枠体２１内には、図８（ａ）の矢印Ａに示すように、端子部枠体２１とともに上下方向に移動するスライダー２５が配設されている。スライダー２５は、図８（ａ）の矢印Ｂで示すように、上下方向と略直交（直交を含む）する左右方向にも移動可能に構成されている。このとき、スライダー２５は、図５に示すように、中央部分を開口した枠形状で形成されている。そして、スライダー２５は、バネなどからなる弾性部材２６により、図８（ａ）に示すように、端子部枠体２１内の右方向に付勢されている。さらに、スライダー２５は、バネなどからなる弾性部材２６と相対向する端部２５ｃに、上方に向かって端子部枠体２１の内側（弾性部材側）に湾曲する湾曲リブ２７が形成されている。
【００２９】
また、端子部枠体２１およびスライダー２５は、蓄電池１０が装着されていない場合、バネなどからなる弾性体２８によって上方に付勢されている。さらに、スライダー２５は、弾性部材２６の付勢力により、端子部枠体２１の端面２１ａに当接している。これにより、以下で、図１２（ａ）および図１２（ｂ）を用いて詳細に説明するように、端子部枠体２１のスライダー２５の凹部４７の突出部４７ａと、取付枠体２２に設けられたガイドリブ２９が当接する。その結果、端子１８より上方で端子１８を開口部２４より露出させないように覆う位置で、端子部枠体２１の上下方向の移動を規制する移動阻止機構が形成される。
【００３０】
以下に、端子部枠体２１とスライダー２５による、移動阻止機構について、図１０および図１１を参照しながら、図１２（ａ）および図１２（ｂ）を用いて説明する。
【００３１】
図１２（ａ）は、同実施の形態における端子部枠体の上下方向の移動を阻止する状態を説明する、端子部枠体とスライダーの位置関係を示す模式図である。図１２（ｂ）は、同端子部枠体の上下方向の移動が可能な状態を説明する、端子部枠体とスライダーの位置関係を示す模式図である。なお、図１２（ａ）は、スライダー２５が弾性部材２６により、図中の左側に付勢された状態に相当する。一方、図１２（ｂ）は、弾性部材２６の付勢力に抗って、スライダー２５が、図中の右側に移動した状態に相当する図である。
【００３２】
まず、図１０および図１１に示すように、取付枠体２２の内側面には、上下方向にガイドリブ２９が形成されている。そして、図１２（ａ）および図１２（ｂ）に示すように、端子部枠体２１およびスライダー２５には、ガイドリブ２９が遊嵌する切欠部４５および
凹部４７が形成されている。これにより、端子部枠体２１の切欠部４５およびスライダー２５の凹部４７との重なりによる挿通の有無により、ガイドリブ２９をガイドとして、端子部枠体２１の上下方向への移動または移動を阻止する移動阻止機構が構成される。
【００３３】
つまり、図１１に示すように、蓄電池１０が装着されていない場合、端子部枠体２１およびスライダー２５は、弾性体２８の付勢力により上方に移動し、ガイドリブ２９より上方に位置するように構成されている。このとき、図１２（ａ）に示すように、スライダー２５は、弾性部材２６により図中の左方向に付勢されている。そのため、端子部枠体２１の切欠部４５と、スライダー２５の凹部４７の突出部４７ａが重なる。その結果、スライダー２５の凹部４７の突出部４７ａと、ガイドリブ２９とが当接し、端子部枠体２１の端子１８方向（下方）への移動が阻止される。
【００３４】
一方、蓄電池１０が装着された場合、図７に示すように、端子部枠体２１の上面に形成された貫通孔３３に、後述する蓄電池１０の底面に形成した解除リブ３８が挿入される。このとき、図１０に示すように、端子部枠体２１の貫通孔３３と対向するスライダー２５の端部２５ａには傾斜面２５ｂが形成されている。そのため、蓄電池１０の解除リブ３８は、端子部枠体２１の貫通孔３３から、スライダー２５の傾斜面２５ｂに沿って挿入され、スライダー２５を移動させる。
【００３５】
これにより、図１２（ｂ）に示すように、スライダー２５は、弾性部材２６の付勢力に抗って、端子部枠体２１に対して、図中の右方向に移動する。このとき、スライダー２５の凹部４７の突出部４７ａも右側に移動する。そして、端子部枠体２１の切欠部４５と、スライダー２５の凹部４７の突出部４７ａとの重なりが解除される。その結果、端子部枠体２１の切欠部４５とスライダー２５の凹部４７が連通し、ガイドリブ２９に沿って端子部枠体２１とスライダー２５が、端子１８方向への移動が可能となる。
【００３６】
以上により、端子部枠体２１およびスライダー２５の移動または移動を阻止する移動阻止機構が、切欠部４５や凹部４７および弾性部材２６やガイドリブ２９などにより構成される。
【００３７】
また、図７、図１３（ａ）および図１３（ｂ）に示すように、端子部枠体２１の相対向する両側面（スライダー２５が左右に移動する方向で対向する側面）には、取付枠体２２に上下方向に形成した長孔３０を貫通する凸部３１が形成されている。蓋体１５には、端子部枠体２１の凸部３１に相当する位置に、蓋体１５から延設された凹部３２ａが形成されたアーム部３２が設けられている。そして、端子部枠体２１の凸部３１に、アーム部３２の凹部３２ａが当接するように構成されている。これにより、図１３（ｂ）に示すように、蓋体１５が開放されると、蓋体１５のアーム部３２の凹部３２ａと当接する凸部３１により、端子部枠体２１を上方に移動させる。その結果、端子部枠体２１が端子１８の上方に配置され、端子１８が開口部２４より露出されないように覆う。
【００３８】
以下に、本発明の実施の形態の蓄電池について、図１４を用いて説明する。
【００３９】
図１４は、本発明の実施の形態における電気掃除機の蓄電池の斜視図である。
【００４０】
図１４に示すように、蓄電池１０は、前ケース３４と後ケース３５から構成され、内部に、例えばリチウムイオン電池などの二次電池を収納している。蓄電池１０は、上部に、ハンドルアーム３７により伸縮可能なハンドル３６を備えている。蓄電池１０の下部には、蓄電池ケース９の本体端子部１６に嵌合する蓄電池端子部１７が配設されている。そして、蓄電池端子部１７は、本体端子部１６の端子１８に接続する端子（図示せず）を支持固定している。
【００４１】
さらに、蓄電池１０下部には、蓄電池端子部１７に隣接して解除リブ３８が形成されている。解除リブ３８は、上述したように、蓄電池１０を蓄電池ケース９の蓄電池収納室に収納した際に、スライダー２５を図１２（ｂ）に示すように図中の右方向に移動させる。
【００４２】
具体的には、解除リブ３８を、図７に示す本体端子部１６の端子部枠体２１に形成した貫通孔３３から、スライダー２５の端部２５ａの傾斜面２５ｂに沿って挿入する。これにより、図１０に示すスライダー２５を端子部枠体２１の右端部側に付勢する弾性部材２６の付勢力に抗して、スライダー２５を左方向に移動させる。その結果、図１２（ｂ）に示すように、スライダー２５に形成した切欠部４５が、端子部枠体２１の凹部４７と挿通する位置に移動し、取付枠体２２のガイドリブ２９が遊嵌できる状態となる。つまり、これらの動作により、上述した移動阻止機構が解除される。
【００４３】
また、蓄電池１０の蓄電池端子部１７には、図９に示すように、解除リブ３８が形成された位置とは相対向する位置に解除リブ３８とは反対方向に向かって、例えば三角状の返り部３９を形成している。さらに、図１０に示すように、蓄電池１０には、他の電気機器へ電力を供給する出力端子４０と、出力端子４０からの出力を制御するスイッチ４１が設けられている。
【００４４】
以上により、本実施の形態の電気掃除機の蓄電池が構成されている。
【００４５】
以下に、本発明の実施の形態の蓄電池を充電する充電台について、図１５を用いて説明する。
【００４６】
図１５は、本発明の実施の形態における電気掃除機の充電台の斜視図である。
【００４７】
図１５に示すように、充電台４２は、少なくとも電源コード４３が接続される制御基板（図示せず）と、端子受部４４などを有している。端子受部４４は、掃除機本体１の蓄電池ケース９に設けられる充電端子部（図示せず）と、蓄電池１０の蓄電池端子部１７が選択的に接続される。
【００４８】
以上のように、本実施の形態の電気掃除機の充電台が構成されている。
【００４９】
以下に、本実施の形態の電気掃除機の掃除動作および作用について、図１および図２を参照しながら、説明する。
【００５０】
図１および図２に示すように、商用電源を介して電気掃除機１００で掃除する場合、まず、コードリール７の電源コード（図示せず）から電力を掃除機本体１に供給する。そして、商用電源から供給される電力により、掃除を行う。一方、蓄電池１０を介して電気掃除機１００で掃除する場合、掃除機本体１内の蓄電池ケース９からなる蓄電池収納室に収納した蓄電池１０に充電されている電力で掃除を行う。これにより、商用電源を用いることなく蓄電池１０を用いて掃除を行うことができる。
【００５１】
具体的には、使用者は、電気掃除機１００を使用して掃除を開始する。このとき、上述したように、商用電源、あるいは蓄電池１０から電動送風機５に電力が供給される。そして、電動送風機５の吸引風により、床などの被清掃面上の塵埃が吸込具４から空気とともに吸引される。
【００５２】
吸込具４から吸引された塵埃を含む空気は、延長管３およびホース２を介して掃除機本体１の内部へと流入する。そして、掃除機本体１の集塵装置６で塵埃が捕集される。これ
により、掃除動作が終了する。
【００５３】
以下に、本実施の形態の電気掃除機の蓄電池の充電動作について、図１６および図１７を用いて、説明する。
【００５４】
図１６は、同実施の形態における充電台に掃除機本体を載置した状態を示す斜視図である。図１７は、同実施の形態における充電台に蓄電池を載置した状態を示す斜視図である。
【００５５】
つまり、掃除が終了し、蓄電池１０を充電する場合、以下に示す２つの方法がある。
【００５６】
１つ目の方法は、使用者が、図１６に示すように、掃除機本体１を充電台４２に載置する。これにより、掃除機本体１の充電端子部（図示せず）は、充電台４２の端子受部４４に接続される。そして、電源コード４３で商用電源に接続された充電台４２の端子受部４４から掃除機本体１の充電端子部を介して、蓄電池１０を充電する。
【００５７】
２つ目の方法は、使用者が、図１７に示すように、掃除機本体１から蓄電池１０を取り外して、直接、蓄電池１０を充電する。具体的には、使用者は、蓄電池１０の蓄電池端子部１７を充電台４２の端子受部４４に接続する。そして、電源コード４３で商用電源に接続された充電台４２の端子受部４４から蓄電池１０の蓄電池端子部１７を介して蓄電池１０を充電する。
【００５８】
つまり、使用者は、掃除機本体１を充電台４２に載置して蓄電池１０を充電する方法と、掃除機本体１から取り外した蓄電池１０を充電台４２に載置して蓄電池１０を充電する方法とを、適宜選択して蓄電池１０を充電することができる。
【００５９】
以下に、本実施の形態の掃除機本体から蓄電池を着脱する状態について、図６から図１３（ｂ）を用いて、説明する。
【００６０】
まず、使用者は、図６に示すように、蓋体１５を回動させ、蓄電池ケース９の蓄電池収納室を開放して、蓄電池１０を着脱操作する。
【００６１】
具体的には、蓄電池１０を掃除機本体１の蓄電池ケース９に挿入する。これにより、蓄電池１０の蓄電池端子部１７が掃除機本体１の本体端子部１６の端子部枠体２１内に挿入される。そして、図９に示す蓄電池１０の解除リブ３８が、本体端子部１６の端子部枠体２１に形成した貫通孔３３から挿入される。このとき、上述したように、解除リブ３８は、弾性部材２６の付勢力に抗して、スライダー２５を、図９中の左方向あるいは図１２（ｂ）の右方向に移動させる。これにより、図１２（ｂ）に示すように、スライダー２５の凹部４７の突出部４７ａと、端子部枠体２１に形成した切欠部４５との重なりが解除され、取付枠体２２のガイドリブ２９が挿通可能となる。その結果、蓄電池１０を掃除機本体１の蓄電池ケース９内に挿入すると、ガイドリブ２９に沿って、端子部枠体２１とスライダー２５が下方に移動可能となる。つまり、蓄電池１０を本体端子部１６に装着できる状態となる。
【００６２】
つぎに、端子部枠体２１が移動可能な状態で、蓋体１５を閉塞すると、蓄電池１０は、蓄電池ケース９の支持部材１４の内周面の上部に配置した湾曲リブ（図示せず）に接触し、この湾曲リブに沿って下方に案内されることで、下方に移動する。そして、蓄電池１０の蓄電池端子部１７が、本体端子部１６側に移動すると、蓄電池端子部１７の下端が端子部枠体２１とスライダー２５を下方に押し下げる。これにより、本体端子部１６の端子１８と蓄電池端子部１７の端子が接続する。同時に、スライダー２５の湾曲リブ２７と、蓄
電池１０の蓄電池端子部１７の返り部３９が当接し、蓄電池１０が本体端子部１６に、安定して支持固定される。
【００６３】
以上により、掃除機本体１に蓄電池１０が装着される。
【００６４】
つぎに、掃除機本体１から蓄電池１０を取り外す動作について、説明する。
【００６５】
まず、蓄電池１０を掃除機本体１から取り外す場合、使用者は蓋体１５を開放する。このとき、蓋体１５に形成されたアーム部３２の凹部３２ａが、端子部枠体２１の凸部３１に当接して端子部枠体２１を、取付枠体２２の長孔３０に沿って押し上げる。そして、端子部枠体２１の上方への移動にともなって、蓄電池１０も上方に押し上げられる。これにより、本体端子部１６の端子１８と、蓄電池端子部１７の端子との接続が外れる。
【００６６】
そして、蓋体１５を開放した状態においては、蓋体１５のアーム部３２が端子部枠体２１を端子１８の上方位置まで押し上げる。そのため、端子部枠体２１により、本体端子部１６の端子１８が開口部２４より露出されない覆われた状態となる。
【００６７】
つまり、蓋体１５のアーム部３２と端子部枠体２１の凸部３１により、端子部枠体２１とスライダー２５を、確実に端子１８の上方に移動させる強制移動機構が構成される。
【００６８】
なお、上述したように、蓄電池１０の蓄電池端子部１７が本体端子部１６に接続した状態では、スライダー２５は、図９中の左方向へ移動している。これにより、蓄電池１０の蓄電池端子部１７の返り部３９が、スライダー２５の湾曲リブ２７に当接した状態となる。
【００６９】
一方、蓋体１５の開放にともなって、アーム部３２と端子部枠体２１の凸部３１による強制移動機構により、蓄電池１０が押し上げられる。
【００７０】
また、蓄電池１０の返り部３９とスライダー２５の湾曲リブ２７との当接により、人による蓄電池１０の蓄電池ケース９からの取り外し操作にともなって、スライダー２５を上方に確実に移動させることができる。つまり、スライダー２５の湾曲リブ２７と蓄電池１０の返り部３９により、スライダー２５を確実に端子１８の上方に移動させる強制移動機構が、同様に構成される。
【００７１】
また、端子部枠体２１は、スライダー２５とともに、弾性体２８の付勢力によっても上方に移動する。このとき、端子部枠体２１およびスライダー２５は、取付枠体２２の内面に形成したガイドリブ２９を、図１２（ｂ）に示す端子部枠体２１の切欠部４５とスライダー２５の凹部４７とを遊嵌させてガイドとして移動する。これにより、端子部枠体２１およびスライダー２５を、ガイドリブ２９を介して、安定して上下動させることができる。
【００７２】
そして、端子部枠体２１およびスライダー２５が上方へ移動するにしたがって、スライダー２５は弾性部材２６の付勢力により、図９中の右方向に移動する。これにより、図１２（ａ）に示すように、スライダー２５の凹部４７の突出部４７ａは、端子部枠体２１の切欠部４５と重なる位置に移動する。その結果、スライダー２５の凹部４７の突出部４７ａがガイドリブ２９と当接し、端子部枠体２１およびスライダー２５の下方（端子１８方向）への移動が阻止される。そのため、本体端子部１６の端子１８が端子部枠体２１の開口部２４からの露出が防止される。
【００７３】
また、同時に、スライダー２５が、図９中の右方向に移動することにより、最終的に蓄
電池１０の返り部３９とスライダー２５の湾曲リブ２７との当接が外れる。その結果、蓄電池１０を本体端子部１６から容易に取り外すことが可能となる。
【００７４】
なお、端子部枠体２１およびスライダー２５は、本体端子部１６の端子部枠体２１の内側面との間へのゴミの侵入などにより弾性体２８の付勢力のみでは上下動作が良好に行えなくなる場合がある。そこで、本実施の形態では、端子部枠体２１の凸部３１を蓋体１５のアーム部３２に当接させ、さらにスライダー２５の湾曲リブ２７を蓄電池１０の返り部３９に当接させる強制移動機構を構成している。これにより、端子部枠体２１とスライダー２５を、蓋体１５の開放動作により確実に上方へ移動させることができる。そのため、上方に移動した端子部枠体２１によって、本体端子部１６の端子１８が開口部２４より露出することを確実に防止できる。その結果、高い安全性を維持することができる。
【００７５】
以上のように、本実施の形態によれば、蓄電池１０を掃除機本体１から取り外した状態において、本体端子部１６の端子１８を、開口部２４より露出しないように端子部枠体２１で覆う。さらに、覆われた状態で、端子部枠体２１の移動が阻止される。そのため、本体端子部１６の端子１８の外部への露出を防止できる。これにより、電気的な安全性を向上することができる。さらに、本体端子部１６の端子１８へのゴミなどの付着を防止できる。これにより、掃除機本体１の本体端子部１６と蓄電池１０の蓄電池端子部１７との接触不良を抑制することができる。その結果、高い安全性と、信頼性に優れた電気掃除機を実現できる。
【００７６】
なお、本実施の形態では、本体端子部１６の端子１８に対応して、端子部枠体２１に開口部２４を形成した構成を例に説明したが、これに限られない。例えば、端子部枠体２１が本体端子部１６の上方側に移動した状態で、端子部枠体２１の本体端子部１６の端子１８側への移動が阻止され、端子１８の露出を防止する機能を有する構成であれば、他の形状、他の構成であってもよい。
【００７７】
また、本実施の形態では、端子部枠体２１の端子１８と対向する位置に開口部２４を設け、スライダー２５が枠形状である構成を例に説明したが、これに限られない。例えば、端子部枠体２１を枠形状とし、スライダー２５の各々の端子１８と対向する位置に、複数の開口部を設けてよい。これにより、スライダー２５の左右方向の移動にともなって、端子１８を外部から遮蔽できる。さらに、端子部枠体２１とスライダー２５の両方に開口部を設ける構成としてもよい。このとき、端子部枠体２１とスライダー２５が上下方向に移動できる状態において、開口部が重なるように設ける。これにより、蓄電池１０が取り外された場合、スライダー２５が左右方向に移動し、開口部同士の重なりが解除される。その結果、端子１８をより確実に外部から遮蔽し、ごみの侵入や端子との接触を防止できる。
【００７８】
以上で説明したように、本発明の電気掃除機は、掃除機本体と、掃除機本体に形成され、本体端子部を有する蓄電池収納室と、蓄電池収納室に着脱自在に装着され、本体端子部に接続される蓄電池端子部を有する蓄電池とを備える。本体端子部は、端子が設けられる取付枠体と、取付枠体内に設けられ、端子を外部に臨ませる方向に移動可能な開口部を有する端子部枠体と、端子部枠体内に設けられ、端子部枠体の移動方向と略直交する方向に移動可能なスライダーと、を備える。そして、スライダーは、端子部枠体の端子側への移動を阻止する移動阻止機構を構成してもよい。
【００７９】
これにより、掃除機本体から蓄電池を取り外した際の端子の露出を防止し、電気的な安全性を向上することができる。さらに、ゴミなどの付着による端子の電気的な接触不良を抑制できる。また、誤って端子部枠体を押し込む方向に力が加わっても、移動阻止機構により、端子部枠体の端子側への移動を阻止することができる。その結果、高い安全性と、
信頼性に優れた電気掃除機を実現できる。
【００８０】
また、本発明の電気掃除機は、取付枠体が、ガイドリブを有し、端子部枠体は、ガイドリブが挿通する切欠部を有し、スライダーは、ガイドリブが挿通する凹部を有する。そして、スライダーの移動により、切欠部と凹部が連通して、ガイドリブに沿って、端子部枠体が、端子を外部に臨ませる方向に移動可能に構成してもよい。これにより、端子部枠体およびスライダーの端子方向への移動や移動の阻止を、簡単な構成で容易に実現できる。
【００８１】
また、本発明の電気掃除機は、端子部枠体が、貫通孔を有し、スライダーは、貫通孔と対向する側に傾斜面を有し、蓄電池は、蓄電池端子部側に解除リブを有し、解除リブが、貫通孔から傾斜面に沿って挿入されることにより、スライダーを移動させてもよい。これにより、スライダーをスムーズに移動させることができる。その結果、蓄電池の装着が容易にできる。
【００８２】
また、本発明の電気掃除機は、蓄電池収納室を開閉自在に閉塞する蓋体を設け、蓋体に設けたアーム部と、端子部枠体に設けた凸部との当接により、蓋体の開放操作に伴って、端子部枠体を端子から離れる方向に移動させる強制移動機構を構成してもよい。
【００８３】
これにより、端子部枠体の移動動作に不具合が生じた場合でも、蓄電池を取り出す際の動作によって、端子部枠体を強制的に所定の位置に移動させることができる。その結果、端子の露出を防止して安全性を向上できる。
【００８４】
また、本発明の電気掃除機は、スライダーが、端子部枠体とともに、端子を外部に臨ませる方向に移動可能に構成され、蓄電池の蓄電池端子部に設けた返り部と、スライダーに設けた湾曲リブとの当接により、蓄電池の蓄電池収納室からの取り外し操作にともなって、スライダーを端子から離れる方向に移動させる強制移動機構を構成してもよい。
【００８５】
これにより、スライダーの移動動作に不具合が生じた場合でも、蓄電池を取り出す際の動作によってスライダーを強制的に所定の位置に移動させることができる。その結果、端子部枠体の端子側への移動を阻止して、端子の露出による安全性の低下を抑制できる。
【００８６】
また、本発明の電気掃除機は、スライダーが、弾性部材により、端子部枠体の一方の端面に付勢されてもよい。これにより、蓄電池が装着されない状態において、常に、スライダーの突出部がガイドリブに当接する。その結果、端子部枠体の端子側への移動を、より確実に防止できる。
【００８７】
また、本発明の電気掃除機は、端子部枠体が、弾性体により、取付枠体の端子から離間するように付勢されてもよい。これにより、蓄電池が装着されない状態において、常に、端子部枠体は、端子から離間する方向に付勢される。その結果、端子部枠体の端子側への移動を防止できる。
【産業上の利用可能性】
【００８８】
以上のように、本発明の電気掃除機は、使用者が充電池を充電するために掃除機本体から充電池を取り外した際、接続端子を可動式のシャッターで覆うことで端子の露出を防ぎ、充電部露出による電気的な安全性を確保するとともに、端子へのゴミの付着などによる電気的接触不良の抑制を図ることが可能となるとなるため、家庭用電気掃除機及び業務用電気掃除機の分野・用途に適用することができる。
【符号の説明】
【００８９】
１  掃除機本体
９  蓄電池ケース
１０  蓄電池
１５  蓋体
１６  本体端子部
１７  蓄電池端子部
１８  端子
２１  端子部枠体
２２  取付枠体
２４  開口部
２５  スライダー
２５ｂ  傾斜面
２６  弾性部材
２７  湾曲リブ
２８  弾性体
２９  ガイドリブ
３１  凸部
３２  アーム部
３３  貫通孔
３８  解除リブ
３９  返り部
４５  切欠部
４７  凹部
【図１】
2015024124.tif 000003
【図２】
2015024124.tif 000004
【図３】
2015024124.tif 000005
【図４】
2015024124.tif 000006
【図５】
2015024124.tif 000007
【図６】
2015024124.tif 000008
【図７】
2015024124.tif 000009
【図８】
2015024124.tif 000010
【図９】
2015024124.tif 000011
【図１０】
2015024124.tif 000012
【図１１】
2015024124.tif 000013
【図１２】
2015024124.tif 000014
【図１３】
2015024124.tif 000015
【図１４】
2015024124.tif 000016
【図１５】
2015024124.tif 000017
【図１６】
2015024124.tif 000018
【図１７】
2015024124.tif 000019